(57)【要約】【課題】波長多重伝送装置の双方向シャットダウンを、制御光を用いることなく実現する。【解決手段】光ファイバ２の伝送路上で障害が発生した場合、端局３では全ての信号光の入力断を検出して送信をシャットダウンする。シャットダウン時は、特定波長信号光５だけは送信する。端局１では特定波長信号光５以外の信号光の入力断を検出してシャットダウンする。障害が復旧した場合、端局３では特定波長信号光５の入力断解除を検出して、送信のシャットダウンを解除する。端局１では全ての信号光の入力断解除を検出して、送信のシャットダウンを解除する。【選択図】        図１
2004207811.tif 000002
【特許請求の範囲】
【請求項１】
第１の端局及び第２の端局間に配置された第１の光ファイバ及び第２の光ファイバに波長多重光を伝送する波長多重伝送装置において、
前記第１の端局及び第２の端局は、受信した波長多重光の各信号光の入力断を検出する手段と、検出した入力断の情報に従い送信信号光の送信を止める手段と、を有し、
全ての信号光の入力断を検出した場合か、特定波長信号光を除いた全ての信号光の入力断を検出した場合、特定波長信号光を除いた全ての信号光をシャットダウンし、
全ての信号光が入力断の状態から、特定波長信号光の入力断が復旧した場合か、全ての信号光の入力断が復旧した場合、全ての信号光のシャットダウンを解除することを特徴とする波長多重伝送装置。
【請求項２】
前記信号光の入力断を検出する手段は、各信号光の光入力レベルをモニタし、光レベルがある一定値以下になると入力断と判断することを特徴とする請求項１に記載の波長多重伝送装置。
【請求項３】
前記信号光の入力断を検出する手段は、各信号光の信号のビットエラー数をモニタし、ビットエラー数がある一定値以上になると入力断と判断することを特徴とする請求項１に記載の波長多重伝送装置。
【請求項４】
第１の端局及び第２の端局間に配置された第１の光ファイバ及び第２の光ファイバに波長多重光を伝送する波長多重伝送方式において、
前記第１の光ファイバ及び第２の光ファイバの何れか一方に障害が発生し、前記第１の端局及び第２の端局の何れか一方が全信号光の断を検出する工程と、
前記第１の端局及び第２の端局の何れか一方は、特定波長信号光以外の送信をシャットダウンする工程と、
前記第１の光ファイバ及び第２の光ファイバの何れか他方には、特定波長信号光のみが伝送され、前記第１の端局及び第２の端局の何れか他方に受信される工程と、
前記第１の端局及び第２の端局の何れか他方では、特定波長信号光以外は入力断となり、特定波長信号光以外の送信をシャットダウンする工程と、
前記第１の光ファイバ及び第２の光ファイバの何れか一方には、特定波長信号光が伝送される工程と、
を備えたことを特徴とする波長多重伝送方式。
【請求項５】
前記第１の光ファイバ及び第２の光ファイバの何れか一方の障害が復旧した場合、前記第１の端局及び第２の端局の何れか一方は特定波長信号光を検出し、送信側のシャットダウンを解除する工程と、
前記第１の光ファイバ及び第２の光ファイバの何れか他方には、全ての信号光が伝送され、前記第１の端局及び第２の端局の何れか他方に受信される工程と、
前記第１の端局及び第２の端局の何れか他方では、全ての信号光を検出し、送信側のシャットダウンを解除する工程と、
前記第１の光ファイバ及び第２の光ファイバの何れか一方には、全ての信号光が伝送される工程と、
を備えたことを特徴とする請求項４に記載の波長多重伝送方式。
【発明の詳細な説明】
【０００１】
【発明の属する技術分野】
この発明は、波長多重伝送装置及び波長多重伝送方式に係わり、光ファイバ伝送路上を波長多重した信号光を伝搬させる波長多重伝送装置において、障害発生時のシャットダウン、及び障害復旧時のシャットダウン解除の方法に関するものである。
【０００２】
【従来の技術】
従来の光波多重伝送システムは、末端局舎の光波多重伝送装置が末端側から収容した複数本の光信号を波長変換して波長多重を行い、一本の光信号として光増幅器へ送信する。光増幅器では受信した光信号を増幅し、隣接局舎へ送信する。最終的に、対向する光波多重伝送装置がこの光信号を受信し、元の複数本の光信号に変換して光波多重伝送が終了する。
【０００３】
伝送路中のある地点にて障害による伝送路切断が発生したとすると、その伝送路の切断によって、光増幅器では主信号を受信できなくなる。その受信不可の情報を同じ中継局舎内の反対方向送信用の光増幅器に伝え、その光増幅器は逆向きの伝送路を使って同情報を隣接局舎の光増幅器に伝える。隣接局舎の光増幅器は受信した情報（制御信号）を、受信不可を検出した光増幅器に伝え、最終的にこの光増幅器が主信号の送信を停止する。
【０００４】
このようにして、逆方向の伝送路を利用して伝送路切断の情報を切断場所直前の光増幅器に伝えて双方向の主信号シャットダウンを行い、切断ファイバ端面からの無差別なレーザ出力を防ぎ、安全性の確保を実現している（例えば、特許文献１参照）。
【０００５】
【特許文献１】
特開２００１−７７７３１号公報
【０００６】
【発明が解決しようとする課題】
従来の波長多重伝送装置は以上のように構成されているので、障害が発生した場合、制御信号によりシャットダウンを行い、障害復旧時にも制御信号によりシャットダウン解除を行うので、装置に必ず制御ユニットを搭載しなければならず、装置の規模が大きくなり、価格が高くなる等の問題点があった。
【０００７】
この発明は上記のような問題点を解消するためになされたもので、制御ユニットを搭載することなく障害時のシャットダウン、及び障害復旧時のシャットダウン解除ができる波長多重伝送装置及び波長多重伝送方式を得ることを目的とする。
【０００８】
【課題を解決するための手段】
この発明に係る波長多重伝送装置は、第１の端局及び第２の端局間に配置された第１の光ファイバ及び第２の光ファイバに波長多重光を伝送する波長多重伝送装置において、第１の端局及び第２の端局は、受信した波長多重光の各信号光の入力断を検出する手段と、検出した入力断の情報に従い送信信号光の送信を止める手段と、を有し、全ての信号光の入力断を検出した場合か、特定波長信号光を除いた全ての信号光の入力断を検出した場合、特定波長信号光を除いた全ての信号光をシャットダウンし、全ての信号光が入力断の状態から、特定波長信号光の入力断が復旧した場合か、全ての信号光の入力断が復旧した場合、全ての信号光のシャットダウンを解除することを特徴とする。
【０００９】
【発明の実施の形態】
実施の形態１．
以下、この発明の実施の形態１を図について説明する。
図１、２は実施の形態１を示す図で、図１は波長多重伝送装置の概念図、図２は端局における対向側への送信する信号光の通常時とシャットダウン時の図である。
図１では、端局１から送信した波長多重光は光ファイバ２を伝搬し、端局３で受信する。同様に、端局３から送信した波長多重光は光ファイバ４を伝搬し、端局１で受信する。
【００１０】
端局１及び端局３では、受信した波長多重光の各信号光の光入力断状態を監視する。各信号光の光入力レベルをモニタし、光レベルがある一定値以下になると入力断と判断する。
また、各信号光の信号のビットエラー数をモニタし、ビットエラー数がある一定値以上になると入力断と判断するようにしてもよい。
【００１１】
端局１及び端局３において、全ての信号光が入力断の場合には、図２に示すように、端局１及び端局３の対向側へ送信する信号光を、特定波長信号光５を除いてシャットダウンする。
また、端局１及び端局３において、特定波長信号光５以外の信号光が全て入力断の場合にも、図２に示すように、端局１及び端局３の対向側へ送信する信号光を特定波長信号光５を除いてシャットダウンする。
【００１２】
端局１及び端局３では、全ての信号光が入力断の状態から特定波長信号光５が入力断解除になった場合か、特定波長信号光５以外が入力断の状態から全ての信号光が入力断解除になった場合に、端局１及び端局３の対向側へ送信する信号光のシャットダウンを解除し、全ての信号光を送信する。
【００１３】
ここで、特定波長信号光５は、波長多重光の中の信号光の任意の一つを用いればよく、装置の運用時に決定すればよい。即ち、シャットダウン及びその解除のための制御信号としての制御光を用いる必要はない。
【００１４】
例えば、光ファイバ２の伝送路上で障害が発生した場合、端局３において全信号光の断が検出され、特定波長信号光５以外の送信がシャットダウンされる。光ファイバ４には特定波長信号光５のみが伝送され、端局１に受信される。
【００１５】
端局１では、特定波長信号光５以外は入力断となるので、特定波長信号光５以外の送信がシャットダウンされる。光ファイバ２には特定波長信号光５のみが伝送される。
【００１６】
このようにして、障害発生時に伝送路へ出力される波長多重光は特定波長信号光５のみとなり、伝送路の光レベルが下がり、端面の覗き込みなどによる事故を防ぐことが出来る。
【００１７】
障害が復旧した場合、端局３において特定波長信号光５の入力断が解除となるので、送信側のシャットダウンが解除される。光ファイバ４には全ての信号光が伝送され、端局１に受信される。
【００１８】
端局１では、全ての信号光の入力断が解除となるので、送信側のシャットダウンが解除される。光ファイバ２には全ての信号光が伝送され、端局１に受信される。
【００１９】
このようにして、障害復旧時には伝送路へ全ての信号光が送信され、正常運用に戻ることができる。
【００２０】
【発明の効果】
以上のように、この発明によれば障害時には信号光のみでシャットダウンを行い、障害復旧時にはシャットダウン解除を行うように構成したので、装置に制御ユニットを搭載しなくてもよく、装置の規模が小さくなり、価格が安価にできる。
【図面の簡単な説明】
【図１】実施の形態１を示す図で、波長多重伝送装置の概念図である。
【図２】実施の形態１を示す図で、端局における対向側への送信する信号光の通常時とシャットダウン時の図である。
【符号の説明】
１  端局、２  光ファイバ、３  端局、４  光ファイバ、５  特定波長信号光。
【図１】
2004207811.tif 000003
【図２】
2004207811.tif 000004